(57)【要約】【課題】メディア等の容量を有効利用しつつ、データの記録時間も短縮したホワイトバランスブラケット撮影を行うことが可能な撮像装置を提供すること。【解決手段】ホワイトバランスブラケット撮影時には、ベイヤデータを取得し（ステップＳ３）、取得したベイヤデータとＷＢブラケットの１枚目用のＷＢパラメータとに基づいて再生用小画像データ１を作成してＲＡＭに書くと共に（ステップＳ５）、１枚目の主画像データ１を作成してＲＡＭに書く（ステップＳ７）、更に、これらの画像データに対応するＥｘｉｆデータ１をＲＡＭに書く（ステップＳ８）。同様にして２枚目及び３枚目の再生用小画像データ２及び３を作成してＲＡＭに書くと共に（ステップＳ１０）、これらの画像データに対応するＥｘｉｆデータ２及び３をＲＡＭに書く（ステップＳ１１）、そしてこれらのデータをメディアに記録させる（ステップＳ１３、ステップＳ１４）。【選択図】  図２
2005198017.tif 000002
【特許請求の範囲】
【請求項１】
撮影の開始を指示するための撮影指示手段と、
この撮影指示手段による指示を受けて撮像データを取得する撮像手段と、
この撮像手段で取得した撮像データを一時記録する一時記録手段と、
この一時記録手段に記録された前記撮像データに対して複数の異なるホワイトバランスパラメータを用いて複数回のホワイトバランス処理を行い複数の再生用小画像データを作成すると共に、この複数の再生用小画像データにそれぞれ対応したホワイトバランスパラメータを少なくとも含む複数の付帯情報を作成することを少なくとも行うホワイトバランス処理手段と、
このホワイトバランス処理手段によって作成された前記複数の再生用小画像データと前記複数の付帯情報、並びに前記一時記録手段に記録された撮像データを１つの画像ファイルとして記録する記録手段と、
を具備することを特徴とする撮像装置。
【請求項２】
前記記録手段に記録された複数の再生用小画像データを、１画面に同時に表示する又は１画面に１枚ずつ順次表示する表示手段を更に具備することを特徴とする請求項１に記載の撮像装置。
【請求項３】
前記表示手段に表示された複数の再生用小画像データの中から所望の画像データを選択するための画像選択手段と、
この画像選択手段により選択された再生用小画像データに対応する主画像データを作成する主画像作成手段と、
を更に具備することを特徴とする請求項２に記載の撮像装置。
【請求項４】
前記主画像作成手段による主画像データ作成は、前記記録手段に記録された撮像データと前記画像選択手段によって選択された再生用小画像データに対応する付帯情報とに基づいて行うことを特徴とする請求項３に記載の撮像装置。
【請求項５】
前記ホワイトバランス処理手段は、前記複数の異なるホワイトバランスパラメータの中の１つを用いて前記一時記録手段に記録された前記撮像データから主画像データを作成することを更に行い、
前記記録手段は、前記主画像データを前記１つのファイルに含めて記録することを更に行うことを特徴とする請求項１に記載の撮像装置。
【請求項６】
前記記録手段は、撮影時の画質モードを判定し、撮影時の画質モードが上記主画像データと上記撮像データが同一となるＲＡＷモードである場合には、前記複数の再生用小画像データ、前記複数の付帯情報、及び前記主画像データのみを１つのファイルとして記録し、撮影時の画質が前記ＲＡＷモードでない場合には、前記複数の再生用小画像データ、前記複数の付帯情報、前記主画像データ、及び前記撮像データを１つのファイルとして記録することを更に行うことを特徴とする請求項５に記載の撮像装置。
【請求項７】
前記ホワイトバランス処理手段は、撮影時の画質モードを判定し、撮影時の画質モードが上記撮像手段で取得した撮像データを圧縮して上記記録手段に記録する圧縮モードの場合には、前記撮影指示手段の指示に応じてホワイトバランスパラメータを複数回変えてホワイトバランス処理を行って複数の圧縮画像データを作成し、画質モードが非圧縮モードの場合には、前記複数の再生用小画像データと前記複数の付帯情報とを作成することを特徴とする請求項１に記載の撮像装置。
【請求項８】
撮影の開始を指示するための撮影指示手段と、
この撮影指示手段による指示を受けて撮像データを取得する撮像手段と、
この撮像手段で取得した撮像データを一時記録する一時記録手段と、
この一時記録手段に記録された前記撮像データに対して複数の異なるホワイトバランスパラメータを用いて複数回のホワイトバランス処理を行い複数の再生用小画像データを作成すると共に、この複数の再生用小画像データにそれぞれ対応したホワイトバランスパラメータを少なくとも含む複数の付帯情報を作成することを少なくとも行うホワイトバランス処理手段と、
このホワイトバランス処理によって作成された前記再生用小画像データと前記付帯情報とを少なくとも含む画像ファイルを複数記録する記録手段と、
を具備し、
前記記録手段に記録する複数の画像ファイルの中の１つの画像ファイルが前記撮像データを更に含み、この画像ファイルの付帯情報には前記複数の画像ファイルのファイル名を示すリスト情報が更に含まれていることを特徴とする撮像装置。
【請求項９】
前記記録手段に記録された複数の再生用小画像データを、１画面に同時に表示する又は１画面に１枚ずつ順次表示する表示手段を更に具備することを特徴とする請求項８に記載の撮像装置。
【請求項１０】
前記表示手段に表示された複数の再生用小画像データの中から所望の画像データを選択するための画像選択手段と、
この画像選択手段により選択された再生用小画像データに対応する画像ファイルの主画像データを作成する主画像作成手段と、
を更に具備することを特徴とする請求項９に記載の撮像装置。
【請求項１１】
前記主画像作成手段は、前記画像選択手段により選択された画像データが前記撮像データを含む画像ファイルに対応するものである場合には、前記撮像データを含まない全ての画像ファイルを前記記録手段から削除すると共に、前記撮像データを含む画像ファイルの付帯情報と前記撮像データとに基づいて主画像を作成し、
前記画像選択手段により選択された画像データが前記撮像データを含まない画像ファイルに対応するものである場合には、撮像データを含まない画像ファイルであって前記画像選択手段によって選択されなかった画像ファイルを全て削除すると共に、前記選択された画像ファイルの付帯情報と前記撮像データとに基づいて主画像を作成することを特徴とする請求項１０に記載の撮像装置。
【請求項１２】
前記ホワイトバランス処理手段は、撮影時の画質モードを判定し、画質モードが圧縮モードの場合には、前記撮影指示手段の指示に応じてホワイトバランスパラメータを複数回変えてホワイトバランス処理を行って複数の圧縮画像データを作成し、画質モードが非圧縮モードの場合には、前記複数の再生用小画像データと前記複数の付帯情報とを作成することを特徴とする請求項８に記載の撮像装置。
【発明の詳細な説明】
【技術分野】
【０００１】
本発明は、撮像装置に関し、特にホワイトバランス処理機能を有する撮像装置に関する。
【背景技術】
【０００２】
従来、ホワイトバランス処理機能を有する撮像装置においては、１回のレリーズ動作に対して、ホワイトバランス処理の際のＲＧＢゲインの重み付けの係数、即ちホワイトバランスパラメータ（以下、ＷＢパラメータと略記する）を変えて複数枚の画像を取得する、所謂ホワイトバランスブラケット（以下、ＷＢブラケットと略記する）撮影という機能を有するものがある。
【０００３】
このようなＷＢブラケット撮影に関する技術については、種々の技術が提案されている。例えば、特許文献１において提案されている技術は、バッファメモリに一時記録させたベイヤデータをもとにして、そのベイヤデータのＷＢパラメータを変化させて複数の記録画像を生成してフラッシュメモリに記録させるものである。ユーザは、これら生成した記録画像の中から任意のものを選択してメディアに記録させることができる。
【０００４】
また、特許文献２において提案されている技術は、１回の撮影で色信号処理の異なる複数の画像を作成してメディアに記録させるものである。
【特許文献１】特開２００３−７０００７号公報
【特許文献２】特開２００１−４５５００号公報
【発明の開示】
【発明が解決しようとする課題】
【０００５】
しかしながら、特許文献１及び特許文献２の技術では、複数の画像を生成して、それらを全てメディアに記録させるようにしているので、その分メディア容量を圧迫することになり、また記録時間も長くなってしまう。これらはＴＩＦＦやＲＡＷ等の１枚の画像データの容量が大きい記録形式で記録する場合にとくに大きな問題となる。
【０００６】
本発明は、上記の事情に鑑みてなされたもので、メディア等の容量を有効利用しつつ、データの記録時間も短縮したホワイトバランスブラケット撮影を行うことが可能な撮像装置を提供することを目的とする。
【課題を解決するための手段】
【０００７】
上記の目的を達成するために、本発明の第１の態様による撮像装置は、ホワイトバランスブラケット撮影の開始を指示するための撮影指示手段と、この撮影指示手段による指示を受けて撮像データを取得する撮像手段と、この撮像手段で取得した撮像データを一時記録する一時記録手段と、この一時記録手段に記録された前記撮像データに対して複数の異なるホワイトバランスパラメータを用いて複数回のホワイトバランス処理を行い複数の再生用小画像データを作成すると共に、この複数の再生用小画像データにそれぞれ対応したホワイトバランスパラメータを少なくとも含む複数の付帯情報を作成することを少なくとも行うホワイトバランス処理手段と、このホワイトバランス処理手段によって作成された前記複数の再生用小画像データと前記複数の付帯情報、並びに前記一時記録手段に記録された撮像データを１つの画像ファイルとして記録する記録手段とを具備する。
【０００８】
この第１の態様によれば、１回の撮影時に複数枚の再生用小画像と付帯情報、撮像データを含む１つのファイルのみを記録するので、記録時間を短縮することができる。
【０００９】
また、上記の目的を達成するために、本発明の第２の態様による撮像装置は、撮影の開始を指示するための撮影指示手段と、この撮影指示手段による指示を受けて撮像データを取得する撮像手段と、この撮像手段で取得した撮像データを一時記録する一時記録手段と、この一時記録手段に記録された前記撮像データに対して複数の異なるホワイトバランスパラメータを用いて複数回のホワイトバランス処理を行い複数の再生用小画像データを作成すると共に、この複数の再生用小画像データにそれぞれ対応したホワイトバランスパラメータを少なくとも含む複数の付帯情報を作成することを少なくとも行うホワイトバランス処理手段と、このホワイトバランス処理によって作成された前記再生用小画像データと前記付帯情報とを少なくとも含む画像ファイルを複数記録する記録手段とを具備し、前記記録手段に記録する複数の画像ファイルの中の１つの画像ファイルが前記撮像データを更に含み、この画像ファイルの付帯情報には前記複数の画像ファイルのファイル名を示すリスト情報が更に含まれている。
【００１０】
この第２の態様によれば、１回の撮影時に複数枚の再生用小画像と付帯情報を含む複数の画像ファイルを記録しておき、これらの画像ファイルの中の１つに撮像データと複数の画像ファイルを関連付けるためのリストを付加するので、記録時間を短縮することができる。
【発明の効果】
【００１１】
本発明によれば、メディア等の容量を有効利用しつつ、データの記録時間も短縮したホワイトバランスブラケット撮影を行うことが可能な撮像装置を提供することができる。
【発明を実施するための最良の形態】
【００１２】
以下、本発明の実施形態を図面を参照して説明する。  
［第１の実施形態］
本発明の第１の実施形態について説明する。図１は、第１の実施形態に係る撮像装置をカメラに適用した場合のブロック図である。
【００１３】
図１において、カメラの所定位置にはズームレンズ系１が配設され、当該ズームレンズ系１の入射光の光路上にはＣＣＤ等の撮像素子２が配設されている。この撮像素子２の出力は、撮像回路３、Ａ／Ｄ変換回路４を介してバスライン２４に接続されている。バスライン２４には、ドライブコントローラ７及びメディアドライブ６を介してディスク状又はカード状のメディア５が接続され、外部Ｉ／Ｆ回路９を介して外部入出力端子８が接続され、ビデオエンコーダ１１を介してビデオ出力端子１０が接続され、ビデオエンコーダ１１及びＬＣＤドライバ１２を介してＬＣＤ表示部１３が接続されている。
【００１４】
更に、このバスライン２４には、各種データの一時記録用のＲＡＭ１４、各種の制御プログラムや各種データ処理用の情報等が記録されたＲＯＭ１５、信号処理部１６、及びシステムコントローラ１７が接続されている。システムコントローラ１７はカメラ全体の制御を司るものであり、レンズ駆動制御回路２２を介してズームレンズ系駆動用のレンズ駆動部２３と接続されるほか、閃光発光を行うためのストロボ発光部１９、撮影開始の指示や各種モード設定等の操作入力を行う操作部１８、各部に電源を供給する電源部２０とも接続されている。ここで、操作部１８には、例えば撮影開始を指示するためのレリーズ指示部材やカメラモードをＷＢブラケット撮影モードに変更するためのモード変更部材、画質モードを変更するための操作部材等の各種操作部材が含まれる。また、電源部２０には、外部からの電源供給を受けるための外部電源入力端子２１が設けられている。
【００１５】
このような構成において、撮像素子２が、ズームレンズ系１を介して結像された被写体像を光電変換して撮像信号を出力すると、後段の撮像回路３は当該撮像信号を処理し、更にＡ／Ｄ変換回路４はデジタルの撮像データ（ベイヤデータ）に変換する。ホワイトバランス処理手段としての信号処理部１６は、このベイヤデータに対してホワイトバランス処理等の画像処理を行った後、この画像データをＪＰＥＧ形式やＴＩＦＦ形式等の所定記録形式のデータに変換し、画像ファイルを作成する。ここで、信号処理部１６による信号処理の際には、データの一時記録用としてＲＡＭ１４が用いられる。
【００１６】
画像データ等の記録用のディスク状又はカード状のメディア５がメディアドライブ６に装着されると、当該メディア５にデータが記録され、或いはデータが読み込まれることになる。このとき、ドライブコントローラ７により、メディアドライブ６の動作が制御される。メディア５から画像データが読み込まれた場合には、バスライン２４を介して信号処理部１６に送られ、上記したのと同様の各種信号処理がなされる。
【００１７】
以上が一般的な撮影時の流れである。ＷＢブラケット撮影時には、通常の撮影時とは異なる画像ファイルが作成される。これについては後で詳述する。
【００１８】
また、パソコン等の周辺機器は外部入出力端子（例えばＵＳＢ端子）８、外部Ｉ／Ｆ回路９を介してバスライン２４に接続される。周辺機器の保持する画像データ等は、外部入出力端子８、外部Ｉ／Ｆ回路９を介して取り込まれる。そして、ドライブコントローラ７によってメディアドライブ６が駆動され、周辺機器の保持する画像データ等がメディア５に記録される。
【００１９】
ビデオエンコーダ１１では、Ａ／Ｄ変換回路４でＡ／Ｄ変換された画像信号、又はメディア５から読み出され信号処理部１６で伸長処理された画像信号がエンコードされ、このエンコードされた信号に基づいてＬＣＤ表示部１３で所定の表示がなされる。このとき、ＬＣＤ表示部１３は、ＬＣＤドライバ１２により駆動される。更に、このカメラでは、ビデオ出力端子１０を介した映像信号の外部出力も可能となっている。
【００２０】
次に、このような構成を有するカメラのＷＢブラケット撮影時の制御について図２のフローチャートを参照して説明する。なお、ここでは、１回のレリーズ動作について３枚分のＷＢブラケット画像を取得する例について説明するが、これに限るものではないことは言うまでもない。
【００２１】
ＷＢブラケット撮影に先立って、ユーザは操作部１８を操作してカメラモードをＷＢブラケットモードに設定し、更にＷＢブラケット用のパラメータを設定する（ステップＳ１）。ここで、ＷＢブラケット用のパラメータとは、例えばＷＢパラメータのステップ数（±何ステップにするか、即ち何枚分のＷＢブラケット画像を作成するか）や１ステップあたりのＷＢパラメータの変更量（画像全体の色をどの程度赤色方向又は青色方向にずらすか）のことである。
【００２２】
その後、ユーザが操作部１８を操作してレリーズ実行指示を与えると、それに応じてシステムコントローラ１７はＷＢブラケット撮影のシーケンスを開始させる。まず、撮像素子２にて撮像信号を取得する（ステップＳ２）。そして、撮像素子２で取得した撮像信号をＡ／Ｄ変換して、得られたベイヤデータをＲＡＭ１４に記録させる（ステップＳ３）。
【００２３】
次にシステムコントローラ１７は、ＲＡＭ１４に記録させたベイヤデータとパラメータ１とに基づいて１枚目の画像用の再生用小画像データ１を作成し（ステップＳ４）、作成した再生用小画像データ１をＲＡＭ１４に書き戻す（ステップＳ５）。ここで、パラメータ１とは、ＷＢブラケットの１枚目の画像についてのＷＢパラメータである。例えば、パラメータ１としては、標準、即ち色をずらさない状態のＷＢパラメータを用いる。勿論これに限るものではなく、任意のＷＢパラメータをパラメータ１として良い。また、再生用小画像データとは、撮影後の画像確認のために用いる低解像度・小容量の画像データである。
【００２４】
次に、システムコントローラ１７は、上記パラメータ１を用いてＷＢブラケットの１枚の画像に関する主画像データ１を作成し（ステップＳ６）、作成した主画像データ１をＲＡＭ１４に書き戻す（ステップＳ７）。ここで、主画像データとは、ユーザによって設定された撮影条件や画質等の条件を反映させたメディア５への記録用画像データである。ステップＳ７で主画像データ１をＲＡＭ１４に記録させた後、主画像データ１の付帯情報としてのＥｘｉｆデータ１をＲＡＭ１４に書き込む（ステップＳ８）。Ｅｘｉｆデータ１として書き込むデータは、露出条件や画質等の撮影情報、カメラの基本情報、再生用小画像情報の他に、主画像データ及び再生用小画像データを作成するのに使用したＷＢパラメータがパラメータ１であることを示す情報、ＷＢブラケットの１枚目であることを示す情報等がある。
【００２５】
次にシステムコントローラ１７は、ＲＡＭ１４に記録させたベイヤデータとパラメータ２及び３を用いて再生用小画像データ２及び３をそれぞれ作成し（ステップＳ９）、これらをそれぞれＲＡＭ１４に書き戻す（ステップＳ１０）。更に、それぞれの画像データに対するＥｘｉｆデータ２及び３をそれぞれＲＡＭ１４に書き込む（ステップＳ１１）。ここで書き込むデータとしては、主画像データ及び再生用小画像データを作成するのに使用したＷＢパラメータの情報、ＷＢブラケットの何枚目であるのかを示す情報、再生用小画像情報以外は、Ｅｘｉｆデータ１と同様である。また、ＷＢパラメータは例えば標準の値から±１ステップ変化させた値にするなど、種々のものが考えられる。
【００２６】
このときＷＢブラケットの２枚目と３枚目については主画像データを作成せず、後で必要に応じて作成することにする。これにより２枚目と３枚目の主画像データ分のデータ量を節約でき、その分メディアへの記録時間を短縮することができる。
【００２７】
次にシステムコントローラ１７は、ユーザによって設定された画質モードがＲＡＷモードであるか否かを判定する（ステップＳ１２）。ここで、ＲＡＷモードとは、撮像素子で取得したベイヤデータに対して何の画像処理も施さずにメディア５に記録させるモードのことである。記録ステップＳ１２の判定において、画質モードがＲＡＷモードでないと判定した場合には、上記ステップにおいてＲＡＭ１４に書き込んだ全てのデータを１つ画像ファイルとしてメディア５に記録させる（ステップＳ１３）。このときの画像ファイルの記録フォーマットは図３（ａ）に示すものとなる。
【００２８】
一方、ステップＳ１２の判定において、画質モードがＲＡＷモードであると判定した場合には、主画像データ部分がＲＡＷデータとなる。ここで、ＲＡＷデータはベイヤデータそのものであるので、この場合には、図３（ａ）のベイヤデータ部分以外のデータをメディア５に記録させる（ステップＳ１４）。このときの画像ファイルの記録フォーマットは図３（ｂ）に示すものとなる。
【００２９】
ここで、図２に従って作成された画像ファイルにおいて、ユーザは１枚目〜３枚目のＷＢブラケット画像の中から任意の１枚を選択して、その選択した画像の主画像データを作成してメディア５に記録させることができる。次に、選択された画像に関する主画像データを作成する際の制御について図４（ａ）及び図４（ｂ）を参照して説明する。
【００３０】
図４（ａ）は２枚目の画像に関する主画像データ（主画像データ２）を作成してメディアに記録する際の制御について示した図である。なお、３枚目の画像に関する主画像データを作成する場合でも同様の制御を行えばよい。
【００３１】
即ち、画像ファイルの再生指示がなされると、システムコントローラ１７は、記録された該当する画像ファイルをメディア５から取り出して再生する（ステップＳ２１）。このとき、ＷＢブラケット画像の場合には３枚の画像を表示させる（ステップＳ２２）。なお、この画像再生の詳細については後で述べる。
【００３２】
ユーザは表示された３枚の画像の中から２枚目の画像を選択し（ステップＳ２３）、この画像の主画像データを作成するように指示を送る（ステップＳ２４）。これを受けてシステムコントローラ１７は、メディア５から画像ファイルの全データを取り出し（ステップＳ２５）、取り出した画像ファイルのＥｘｉｆデータ２の中から２枚目の画像の主画像データを作成するのに必要な情報を抽出する（ステップＳ２６）。そして、Ｅｘｉｆデータ２から抽出した情報とベイヤデータとに基づいて画像処理を行い、主画像データ２を作成する（ステップＳ２７）。主画像データ２を作成した後、ＲＡＭ上のＥｘｉｆデータ２と主画像データ２とをユーザによって設定された記録形式に従いメディア５に記録させる（ステップＳ２８）。
【００３３】
また、図４（ｂ）は１枚目の画像に関する主画像データをメディアに記録する際の制御について示した図である。ここで１枚目の画像に関する主画像データは既に作成されているので、それを記録させるようにすればよい。
【００３４】
即ち、画像ファイルの再生指示がなされると、システムコントローラ１７は、該当する画像ファイルをメディア５から取り出して再生する（ステップＳ３１）。このとき、ＷＢブラケット画像の場合には３枚の画像を表示させる（ステップＳ３２）。
【００３５】
ユーザは表示された３枚の画像の中から１枚目の画像を選択し（ステップＳ３３）、この画像の主画像データを作成するように指示を送る（ステップＳ３４）。即ち、主画像データ１の作成指示がなされると、システムコントローラ１７は、メディア５に記録された画像ファイルの中からＥｘｉｆデータ１と主画像データ１を取り出してＲＡＭ１４にコピーする（ステップＳ３５）。主画像データを取り出した後、ＲＡＭ上のＥｘｉｆデータ１と主画像データ１とをユーザによって設定された記録形式に従って整形する（ステップＳ３６）。その後、これらをメディア５に記録させる（ステップＳ３７）。
【００３６】
ここで、図４（ａ）及び図４（ｂ）の例において、作成した主画像データとその主画像データのＥｘｉｆデータをメディアに記録させた後、図２で作成された画像ファイルを削除してしまうようにしても良い。
【００３７】
次に、図２に従って作成された画像ファイルの再生時の制御について図５を参照して説明する。即ち、画像再生指示がなされると、システムコントローラ１７は選択された画像の各データをメディア５から取り出してＲＡＭ１４上に展開する（ステップＳ４１）。次にシステムコントローラ１７は、取り出したデータがＷＢブラケット画像か否かを判定する（ステップＳ４２）。ステップＳ４２の判定において、取り出したデータがＷＢブラケット画像であると判定した場合には、再生用小画像データ１〜３をＬＣＤ表示部１３に表示させる（ステップＳ４３）。このときの表示は、再生用小画像データ１〜３を３枚同時に表示させるようにしても良いし、再生用小画像データを順次１枚ずつ表示させるようにしても良い。また、ステップＳ４２の判定において、取り出したデータがＷＢブラケット画像でないと判定した場合には、１枚だけの（通常の）再生表示を行う（ステップＳ４４）。
【００３８】
以上説明したように第１の実施形態によれば、ＷＢブラケット撮影時には、１枚目のみ主画像データを作成するようにし、残りの分の主画像データは後で作成できるようにしたので、ＷＢブラケット撮影時の撮影時間及び画像記録時間を通常の撮影時とほぼ同じ時間とすることができると共に、画像ファイルのファイルサイズを小さくすることも可能である。
【００３９】
［第２の実施形態］
次に本発明の第２の実施形態について説明する。本発明の第２の実施形態は第１の実施形態とは異なり、１回のレリーズ動作に対して複数の画像ファイルを作成する例である。なお、構成については図１と同様であるので、説明を省略する。
【００４０】
第２の実施形態では、図６（ａ）〜図６（ｃ）に示す３枚の画像ファイルを作成する。即ち、図６（ａ）に示すように画像ファイル１にはＥｘｉｆデータ１とベイヤデータと再生用小画像データ１とを記録し、更に画像ファイル１のＥｘｉｆデータ１に、画像ファイル１と残り２枚の画像ファイルとを関連付けるために、ファイル名のリストを記録する。また、図６（ｂ）に示すように画像ファイル２にはＥｘｉｆデータ２と再生用小画像データ２を記録する。更に、図６（ｃ）に示すように画像ファイル３にはＥｘｉｆデータ３と再生用小画像データ３を記録する。
【００４１】
次に、図７を参照して第２の実施形態におけるＷＢブラケット撮影時の制御について説明する。第２の実施形態においても第１の実施形態と同様に、ＷＢブラケット撮影に先立って、ユーザは操作部１８を操作してカメラモードをＷＢブラケットモードに設定し、更にＷＢブラケット用のパラメータを設定する（ステップＳ５１）。
【００４２】
その後、ユーザが操作部１８を操作してレリーズ実行指示を与えると、それに応じてシステムコントローラ１７はＷＢブラケット撮影のシーケンスを開始させる。まず、撮像素子２にて撮像信号を取得する（ステップＳ５２）。そして、撮像素子２で取得した撮像信号をＡ／Ｄ変換して、得られたベイヤデータをＲＡＭ１４に記録させる（ステップＳ５３）。
【００４３】
次にシステムコントローラ１７は、メディア５に記録させる３枚分の画像ファイルのファイル名を取得し（ステップＳ５４）、取得したファイル名をリストに登録する（ステップＳ５５）。
【００４４】
その後、システムコントローラ１７は、ＲＡＭ１４に記録させたベイヤデータとパラメータ１とに基づいて再生用小画像データ１を作成し、作成した再生用小画像データ１をＲＡＭ１４に書き戻す（ステップＳ５６）。次に、システムコントローラ１７は、Ｅｘｉｆデータ１にステップＳ５５のリストを付加した状態でＲＡＭ１４に書き込む（ステップＳ５７）。その後、ＲＡＭ１４に記録されたＥｘｉｆデータ１、再生用小画像データ１、及びベイヤデータを画像ファイル１としてメディア５に記録させる（ステップＳ５８）。
【００４５】
次にシステムコントローラ１７は、ＲＡＭ１４に記録させたベイヤデータとパラメータ２とに基づいて再生用小画像データ２を作成し、作成した再生用小画像データ２をＲＡＭ１４に書き戻す（ステップＳ５９）。次に、システムコントローラ１７は、Ｅｘｉｆデータ２をＲＡＭ１４に書き込む（ステップＳ６０）。その後、ＲＡＭ１４に記録されたＥｘｉｆデータ２及び再生用小画像データ２を画像ファイル２としてメディア５に記録させる（ステップＳ６１）。
【００４６】
次にシステムコントローラ１７は、ＲＡＭ１４に記録させたベイヤデータとパラメータ３とに基づいて再生用小画像データ３を作成し、作成した再生用小画像データ３をＲＡＭ１４に書き戻す（ステップＳ６２）。次に、システムコントローラ１７は、Ｅｘｉｆデータ３をＲＡＭ１４に書き込む（ステップＳ６３）。その後、ＲＡＭ１４に記録されたＥｘｉｆデータ３及び再生用小画像データ３を画像ファイル３としてメディア５に記録させる（ステップＳ６４）。
【００４７】
このように、第２の実施形態においては、ＷＢブラケット撮影の際には主画像データを作成せず、後でユーザによって指定された場合にのみ、その指定されたＷＢブラケット画像の主画像データを作成するようにする。次に図８を参照して、第２の実施形態における主画像データ作成時の制御について説明する。
【００４８】
まず、システムコントローラ１７は画像ファイル１のリストから３つのファイルを選択し、それらの再生用小画像データに基づいてＬＣＤ表示部１３に画像表示を行う（ステップＳ７１）。このときの表示は、再生用小画像データ１〜３を３枚同時に表示させるようにしても良いし、再生用小画像データを順次１枚ずつ表示させるようにしても良い。ユーザは、ＬＣＤ表示部１３に表示された画像を見て、主画像データを作成したい画像ファイルを選択する（ステップＳ７２）。これを受けてシステムコントローラ１７は、ユーザによって選択された画像ファイルが画像ファイル１であるか否かを判定する（ステップＳ７３）。
【００４９】
ステップＳ７３の判定において、ユーザによって選択された画像ファイルが画像ファイル１であると判定した場合には、画像ファイル１をメディア５から取り出してＲＡＭ１４上にコピーする（ステップＳ７４）。次に、画像ファイル１のリストにあるファイル名に基づいて画像ファイル２及び３をメディア５から削除する（ステップＳ７５）。次に、画像ファイル１のリストを削除する（ステップＳ７６）。そして、画像ファイル１のＥｘｉｆデータ１とベイヤデータから主画像データ１を作成して（ステップＳ７７）、作成した主画像データ１をＲＡＭ１４からメディア５に記録させる。この後、画像ファイル１は、削除するようにしても良いし、削除しなくとも良い。
【００５０】
一方、ステップＳ７３の判定において、ユーザによって選択された画像ファイルが画像ファイル１でないと判定した場合には、選択された画像ファイルが画像ファイル２の場合にはステップＳ７８に移行し、選択された画像ファイルが画像ファイル３の場合にはステップＳ８３に移行する。
【００５１】
まず、ステップＳ７３において選択された画像ファイルが画像ファイル２の場合には、画像ファイル１と画像ファイル２をメディア５から取り出してＲＡＭ１４上にコピーする（ステップＳ７８）。次に、画像ファイル１のリストをメディア５から削除し（ステップＳ７９）、更に画像ファイル３を削除する（ステップＳ８０）。そして、画像ファイル２のＥｘｉｆデータ２と画像ファイル１のベイヤデータから主画像データ２を作成して（ステップＳ８１）、作成した主画像データ２をＲＡＭ１４からメディア５に記録させる（ステップＳ８２）。
【００５２】
また、ステップＳ７３において選択された画像ファイルが画像ファイル３の場合には、画像ファイル１と画像ファイル３をメディア５から取り出してＲＡＭ１４上にコピーする（ステップＳ８３）。次に、画像ファイル１のリストをメディア５から削除し（ステップＳ８４）、更に画像ファイル２を削除する（ステップＳ８５）。そして、画像ファイル３のＥｘｉｆデータ３と画像ファイル１のベイヤデータから主画像データ３を作成して（ステップＳ８６）、作成した主画像データ３をＲＡＭ１４からメディア５に記録させる（ステップＳ８７）。
【００５３】
以上説明したように第２の実施形態においては、３枚の画像ファイルを作成し、その中の１枚の画像ファイルのＥｘｉｆデータにこれら３つの画像ファイルを関連付けるためのリストを付加しておく。これにより、３つの画像ファイルを作成した後でも、正しく主画像データを作成することができ、ＷＢブラケット撮影時の画像ファイルの記録時間を大幅に短縮することができる。
【００５４】
ここで、第２の実施形態ではリストを付加する画像ファイルが画像ファイル１であるが、これに限るものではなく画像ファイル２や画像ファイル３に付加しても良い。その場合にはリストを付加した画像ファイルにベイヤデータも記録するようにする。主画像作成時にはリストのある画像ファイルを呼び出すようにすれば良い。
【００５５】
また、第２の実施形態においても第１の実施形態と同様に主画像データを作成するようにしても良い。これとは逆に第１の実施形態において、第２の実施形態と同様に主画像データを後で作成できるようにしても良い。
【００５６】
［第３の実施形態］
次に、本発明の第３の実施形態について説明する。本発明の第３の実施形態は、画質モードが高圧縮率のモードの場合を想定した例である。例えば、画質モードが高圧縮率モードの場合には、ベイヤデータを１枚記録するよりも、高圧縮率の画像データを３枚記録するほうが記録時間をより短縮できる場合がある。この場合には、従来どおり、１回の撮影でＷＢパラメータを変えた３枚の圧縮画像ファイルを作成するようにする。図９は第３の実施形態の画像記録時の制御について示した図である。なお、ここでは、高圧縮率モードの例としてＪＰＥＧモードを示している。実際には、ＪＰＥＧモードの中でも高圧縮率のものである。
【００５７】
即ち、ベイヤデータを取得した後、画像ファイルを作成する前に、システムコントローラ１７はユーザによって選択された画質モードをチェックする（ステップＳ９１）。そして、この結果に基づいて、ユーザによって選択された画質モードがＪＰＥＧモードであるか否かを判定する（ステップＳ９２）。このステップＳ９２の判定において、選択された画質モードがＪＰＥＧモードであると判定した場合には、従来どおり、１回の撮影でＷＢパラメータを変えた３枚のＪＰＥＧ画像ファイルを作成し、作成した３枚の画像ファイルをメディア５に記録させる（ステップＳ９３）。
【００５８】
一方、ステップＳ９２の判定において、選択された画質モードがＪＰＥＧモードでないと判定した場合には、図２や図７の手法により画像ファイルを作成し、作成した画像ファイルをメディア５に記録させる（ステップＳ９４）。
【００５９】
以上説明したように、第３の実施形態によれば、そのときの状況に応じてより最適なデータ記録方式を採用することにより記録時間を更に短縮することができる。
【００６０】
以上実施形態に基づいて本発明を説明したが、本発明は上記した実施形態に限定されるものではなく、本発明の要旨の範囲内で種々の変形や応用が可能なことは勿論である。
【００６１】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６２】
【図１】本発明の第１の実施形態に係る撮像装置をカメラに適用した場合のブロック図である。
【図２】第１の実施形態におけるＷＢブラケット撮影時の制御について示したフローチャートである。
【図３】第１の実施形態におけるＷＢブラケット撮影時のメディアへの記録フォーマットを示す図である。
【図４】第１の実施形態における主画像データ作成処理について示したフローチャートである。
【図５】第１の実施形態におけるＷＢブラケット撮影後の画像ファイルの再生時の制御について示したフローチャートである。
【図６】第２の実施形態におけるＷＢブラケット撮影時のメディアへの記録フォーマットを示す図である。
【図７】第２の実施形態におけるＷＢブラケット撮影時の制御について示したフローチャートである。
【図８】第２の実施形態における主画像データ作成処理について示したフローチャートである。
【図９】第３の実施形態における画像ファイルの記録処理について示したフローチャートである。
【符号の説明】
【００６３】
１…ズームレンズ系、２…撮像素子、３…撮像回路、４…Ａ／Ｄ変換回路、５…メディア、６…メディアドライブ、７…ドライブコントローラ、８…外部入出力端子、９…外部Ｉ／Ｆ回路、１０…ビデオ出力端子、１１…ビデオエンコーダ、１２…ＬＣＤドライバ、１３…ＬＣＤ表示部、１４…ＲＡＭ、１５…ＲＯＭ、１６…信号処理部、１７…システムコントローラ、１８…操作部、１９…ストロボ発光部、２０…電源部、２１…外部電源入力端子、２２…レンズ駆動制御回路、２３…レンズ駆動部、２４…バスライン
【図１】
2005198017.tif 000003
【図２】
2005198017.tif 000004
【図３】
2005198017.tif 000005
【図４】
2005198017.tif 000006
【図５】
2005198017.tif 000007
【図６】
2005198017.tif 000008
【図７】
2005198017.tif 000009
【図８】
2005198017.tif 000010
【図９】
2005198017.tif 000011